(57)【要約】【課題】構造が簡単かつ合理的で、二重ロックにより、着脱可能でより安全に調理器具を把持することができる調理器具用取手を提供する。【解決手段】ステンレス可動台４が上部部材１と下部部材２との間に進退可能に挟み込まれており、ロック操作及びその解除操作を行うための操作レバー３と左右一対の操作ボタン６とが設けられている。ステンレス可動台４の屈曲した先端部４ａと下部部材２の先端部との間に調理器具を挿入した状態で、操作レバー３を一方向に回動させると、ステンレス可動台４が後退し、その先端部４ａと下部部材２の先端部とによって調理器具が把持され、その状態でロックされるようになっている。調理器具から取手を取り外す際は、操作レバー３を逆方向に所定角度だけ回動させた後、左右一対の操作ボタン６を押すといった２段階のロック解除操作を実行しない限り、ロックを解除することができないようになっている。【選択図】        図１
0003169455.tif 000002
【実用新案登録請求の範囲】
【請求項１】
調理器具本体に着脱自在に取り付けられる調理器具用取手であって、
上部部材と下部部材とを備え、
前記上部部材と前記下部部材が相互に接合された状態で、前端部に開口が形成され、
金属可動台は前記上部部材と前記下部部材の間に設置され、可動スプリングにより前後方向に進退可能であり、
前記金属可動台の先端部は下方側に屈曲しており、前記下部部材の先端部と共に調理器具本体を把持する把持部になり、
前記下部部材の中にストッパーが嵌め込まれ、前記ストッパーと前記下部部材の内壁の間にスプリングが設けられることにより、前記ストッパーが上向き運動可能になり、
前記金属可動台の後部に前記ストッパーに係止される第一作動孔と第二作動孔が形成されており、
前記上部部材の上に回転可能な操作レバーが設けてあり、前記操作レバーの中にノックピンが設けられ、
前記金属可動台の中部に前記操作レバーの前記ノックピンが嵌合する長孔が幅方向に設けられ、
前記ノックピンが前記長孔の中に嵌入された状態で、前記操作レバーを回転することにより前記金属可動台が前後方向に進退するようになっており、
前記ノックピンが前記長孔の内側端部に位置したとき、前記ノックピンの軸芯が前記可動スプリングの軸芯と直交するようになっており、
前記下部部材の両側に前記ストッパーの上下運動をコントロールする左右一対の操作ボタンが設けられていることを特徴とする調理器具用取手。
【請求項２】
前記操作レバーの内側辺にねじ穴が形成され、前記ノックピンはネジにより前記操作レバーの内側に固定されており、
前記操作レバーの中部に取付穴が形成されると共に、前記上部部材の先端部に相応な貫通穴が形成され、前記操作レバーがねじにより前記上部部材に固定されており、
前記上部部材に前記ノックピンが嵌合するアーチ形の孔が形成されている請求項１に記載の調理器具用取手。
【請求項３】
前記上部部材に形成されたアーチ形の前記孔は、外端が前方を向く、中心角度が９０度の円弧孔で、前記金属可動台に形成された前記長孔と重なり合っており、
前記操作レバーの前記ノックピンは、前記上部部材に形成されたアーチ形の前記孔を貫通して、前記金属可動台に形成された前記長孔に嵌入され、アーチ形の前記孔の中を自由に移動することができるようになっている請求項２に記載の調理器具用取手。
【請求項４】
前記下部部材の中部に十字溝が形成されており、その十字溝に、左右両側が傾斜面を有する楔状に突出した十字型のストッパーが嵌めこまれ、前記ストッパーと前記十字溝の底面との間にスプリングが設けられている請求項１、２または３に記載の調理器具用取手。
【請求項５】
前記上部部材及び前記下部部材は、それぞれの中部両側に切欠部が形成されており、
前記上部部材と前記下部部材とが相互に接合された状態で、その中部両側には、前記切欠部によって、操作ボタンをそれぞれ取り付けるためのボタン取付穴が形成されるようになっており、
左右両側の前記操作ボタンは、前記ストッパーにおける左右両側の傾斜面にそれぞれ摺接する突出部を有し、前記下部部材における前記切欠部の縁部内面に係止された状態で、前記ボタン取付穴に取り付けられている請求項４に記載の調理器具用取手。
【請求項６】
前記下部部材には、前記十字溝の後部に左右一対の側面板と、両側面板の後端縁に連設された後面板とによって、前記可動スプリングの収容室が形成されており、
前記可動スプリングは、前記金属可動台の後端部と、前記収容室を構成している前記後面板との間に挟み込まれている請求項４または５に記載の調理器具用取手。
【請求項７】
前記金属可動台に形成された前記第一作動孔及び前記第二作動孔は、前記長孔よりも後方側において、前記ストッパーの位置に対応するように、前後方向に並設されており、
前記第一作動孔は、前記ストッパーとの間に一定の自由運動する隙間を有している請求項１、２、３、４、５または６に記載の調理器具用取手。
【請求項８】
前記金属可動台の先端部との間に調理器具を挟み込む前記下部部材の先端面には、調理器具の滑りを防止するために、縦方向に延びる多数の凹条または凸条が形成されている請求項1、２、３、４、５、６または７に記載の調理器具用取手。
【請求項９】
後端部に吊下穴が形成されている請求項1、２、３、４、５、６、７または８に記載の調理器具用取手。
【考案の詳細な説明】
【技術分野】
【０００１】
この考案は、調理器具用取手、特に、安全に調理器具本体に着脱自在に取り付けることができる調理器具用取手に関する。
【背景技術】
【０００２】
従来から溶接またはリベッテッドジョイントによって、取手を器具本体に固定する調理器具が多く見られるが、これらの調理器具は、スペースを取り、梱包、保管や持ち運びだけではなく、洗う場合にも不便を感じさせる。そのため、現在では、調理器具本体に着脱自在に取り付けることができる種々の調理器具用取手が開発され、使用されている。
【０００３】
例えば、中国特許第２００９１００９９５９２．６号明細書には、先端部に第一稼動台が設けられ、後ろ部に上部部材に対して回転できるリテイニングリングが設けられる上部部材と、先端部に第二稼動台が設けられ、後ろ部にフランジが設けられる下部部材から構成されることを特徴とする取手構造が記載されている。この取手構造では、前記第一稼動台の中部には貫通穴が設けられると共に、前記第二稼動台の後部が前記貫通穴を通して下部部材に接し、前記第二稼動台と第一稼動台の中部がヒンジ軸を中心として相互的に回転することが可能であり、上部部材と下部部材が内からも外からも互いに挟み込まれ、且つ後ろに設けられるリテイニングリングの結合構造により、取手が調理器具をしっかりと把持することができるようになっている。
【０００４】
また、中国特許第２０１０２０２０００６２６．４号明細書には、取手と保護材とロックボタンとから構成されるハンドルが記載されている。このハンドルは、前記取手の先端部にシリンダーアームが設けられており、前記保護材がシリンダーアームにセットされ、前記ロックボタンが保護材に設けられている。前記シリンダーアームにはリテーナが設けられていると共に、前記リテーナには鍋の取り付け部に固定するためのボールのリテーナが設けられており、前記ボールのリテーナには圧縮スプリングが設置してある。
【先行技術文献】
【特許文献】
【０００５】
【特許文献１】中国特許第２００９１００９９５９２．６号明細書
【特許文献２】中国特許第２０１０２０２０００６２６．４号明細書
【考案の概要】
【考案が解決しようとする課題】
【０００６】
しかしながら、上述した二種類の取手構造では、ロックを解除したり、ボタンを押したりするだけで、取手が鍋から容易に外れてしまうので、使用中の安全性が低く、万一、使用中の不注意でこういった状況が発生すると、ひどい場合には、使用者が火傷を負う等の危険性がある。
【０００７】
そこで、この考案の課題は、上述した従来技術に対して、構造が簡単かつ合理的で、二重ロックにより、着脱可能でより安全に調理器具を把持することができる調理器具用取手を提供することにある。
【課題を解決するための手段】
【０００８】
上記の課題を解決するため、請求項１に係る考案は、調理器具本体に着脱自在に取り付けられる調理器具用取手であって、上部部材と下部部材とを備え、前記上部部材と前記下部部材が相互に接合された状態で、先端部に開口が形成され、金属可動台は前記上部部材と前記下部部材の間に設置され、可動スプリングにより前後方向に進退可能であり、前記金属可動台の先端部は下方側に屈曲しており、前記下部部材の先端部と共に調理器具本体を把持する把持部になり、前記下部部材の中にストッパーが嵌め込まれ、前記ストッパーと前記下部部材の内壁の間にスプリングが設けられることにより、前記ストッパーが上向き運動可能になり、前記金属可動台の後部に前記ストッパーに係止される第一作動孔と第二作動孔が形成されており、前記上部部材の上に回転可能な操作レバーが設けてあり、前記操作レバーの中にノックピンが設けられ、前記金属可動台の中部に前記操作レバーの前記ノックピンが嵌合する長孔が幅方向に設けられ、前記ノックピンが前記長孔の中に嵌入された状態で、前記操作レバーを回転することにより前記金属可動台が前後方向に進退するようになっており、前記ノックピンが前記長孔の内側端部に位置したとき、前記ノックピンの軸芯が前記可動スプリングの軸芯と直交するようになっており、前記下部部材の両側に前記ストッパーの上下運動をコントロールする左右一対の操作ボタンが設けられていることを特徴とする調理器具用取手を提供するものである。
【０００９】
また、請求項２に係る考案は、請求項１に係る考案の調理器具用取手において、前記操作レバーの内側辺にねじ穴が形成され、前記ノックピンはネジにより前記操作レバーの内側に固定されており、前記操作レバーの中部に取付穴が形成されると共に、前記上部部材の先端部に相応な貫通穴が形成され、前記操作レバーがねじにより前記上部部材に固定されており、前記上部部材に前記ノックピンが嵌合するアーチ形の孔が形成されていることを特徴としている。
【００１０】
また、請求項３に係る考案は、請求項２に係る考案の調理器具用取手において、前記上部部材に形成されたアーチ形の前記孔は、外端が前方を向く、中心角度が９０度の円弧孔で、前記金属可動台に形成された前記長孔と重なり合っており、前記操作レバーの前記ノックピンは、前記上部部材に形成されたアーチ形の前記孔を貫通して、前記金属可動台に形成された前記長孔に嵌入され、アーチ形の前記孔の中を自由に移動することができるようになっていることを特徴としている。
【００１１】
また、請求項４に係る考案は、請求項１、２または３に係る考案の調理器具用取手において、前記下部部材の中部に十字溝が形成されており、その十字溝に、左右両側が傾斜面を有する楔状に突出した十字型のストッパーが嵌めこまれ、前記ストッパーと前記十字溝の底面との間にスプリングが設けられていることを特徴としている。
【００１２】
また、請求項５に係る考案は、請求項４に係る考案の調理器具用取手において、前記上部部材及び前記下部部材は、それぞれの中部両側に切欠部が形成されており、前記上部部材と前記下部部材とが相互に接合された状態で、その中部両側には、前記切欠部によって、操作ボタンをそれぞれ取り付けるためのボタン取付穴が形成されるようになっており、左右両側の前記操作ボタンは、前記ストッパーにおける左右両側の傾斜面にそれぞれ摺接する突出部を有し、前記下部部材における前記切欠部の縁部内面に係止された状態で、前記ボタン取付穴に取り付けられていることを特徴としている。
【００１３】
また、請求項６に係る考案は、請求項４または５に係る考案の調理器具用取手において、前記下部部材には、前記十字溝の後部に左右一対の側面板と、両側面板の後端縁に連設された後面板とによって、前記可動スプリングの収容室が形成されており、
前記可動スプリングは、前記金属可動台の後端部と、前記収容室を構成している前記後面板との間に挟み込まれていることを特徴としている。
【００１４】
また、請求項７に係る考案は、請求項１、２、３、４、５または６に係る考案の調理器具用取手において、前記金属可動台に形成された前記第一作動孔及び前記第二作動孔は、前記長孔よりも後方側において、前記ストッパーの位置に対応するように、前後方向に並設されており、前記第一作動孔は、前記ストッパーとの間に一定の自由運動する隙間を有していることを特徴としている。
【００１５】
また、請求項８に係る考案は、請求項１、２、３、４、５、６または７に係る考案の調理器具用取手において、前記金属可動台の先端部との間に調理器具を挟み込む前記下部部材の先端面には、調理器具の滑りを防止するために、縦方向に延びる多数の凹条または凸条が形成されていることを特徴としている。
【００１６】
また、請求項９に係る考案は、請求項１、２、３、４、５、６、７または８に係る考案の調理器具用取手において、後端部に吊下穴が形成されていることを特徴としている。
【考案の効果】
【００１７】
従来技術と比べて、本考案の調理器具用取手のメリットは以下の通りである。
１．構造が単純で、作動レバーを下へ回すだけでロックすることができる。
２．ロックした状態では、ストッパーにより金属可動台の前進運動が抑えられ、さらに、第一作動孔がストッパーに係止されることにより、金属稼動台の前進運動を押さえることができ、二重ロックの効果がある。
【００１８】
従って、操作ボタン一つを操作するだけでロックを解除することができる従来の調理器具用取手に比べ、本考案の調理器具用取手は、操作ボタン一つを操作するだけでは調理器具から外れることがなく、しかも、調理器具への取り付けがより堅固で、安全性が高く、より使い勝手がよい。
【図面の簡単な説明】
【００１９】
【図１】この考案に係る調理器具用取手の全体構成を示す分解斜視図である。
【図２】同上の調理器具用取手を構成している上部部材に操作レバーを取り付けた状態を示す斜視図である。
【図３】同上の調理器具用取手を構成している下部部材にステンレス可動台をセットした状態を示す斜視図である。
【図４】（ａ）〜（ｃ）は同上の調理器具用取手によって調理器具を把持してロックしたときの各部品の状態を説明するための説明図である。
【図５】（ａ）〜（ｃ）は同上の調理器具用取手のロック状態から操作レバーを少し回したときの各部品の状態を説明するための説明図である。
【図６】（ａ）〜（ｃ）は同上の調理器具用取手による調理器具の把持を解除したときの各部品の状態を説明するための説明図である。
【図７】（ａ）は同上の調理器具用取手によって鍋を把持した状態を示す部分断面図、（ｂ）はそのときの調理器具用取手を示す平面図である。
【図８】（ａ）は同上の調理器具用取手による鍋の把持を解除した状態を示す部分断面図、（ｂ）はそのときの調理器具用取手を示す平面図である。
【考案を実施するための形態】
【００２０】
以下、実施の形態について図面を参照して説明する。図１〜図５に示すように、この考案に係る調理器具用取手は、上部部材１、下部部材２、操作レバー３及びステンレス可動台４を備えており、操作レバー３は上部部材１の先端部に回転可能に支持されている。前記操作レバー３の内側辺には、ねじ穴が形成されており、ノックピン３ａはネジにより操作レバー３の内側に固定されている。
【００２１】
前記操作レバー３の中部には、取付穴が形成されていると共に、上部部材１の先端部には、操作レバー３の取付穴に対応する貫通穴１ｂが形成されており、操作レバー３がねじ１０により上部部材１に固定されている。
【００２２】
前記上部部材１と前記下部部材２が相互に接合された状態で、その前端部に開口が形成されるようになっており、ステンレス可動台４は、可動スプリング８により前後方向に進退可能に、上部部材１と下部部材２の間に設置されている。
【００２３】
前記ステンレス可動台４の先端部４ａは成型により下方側に屈曲しており、下部部材２の先端部と共に調理器具本体を把持する把持部を構成している。
【００２４】
前記ステンレス可動台４の中部には、操作レバー３のノックピン３ａが嵌合する長孔４ｂが幅方向に形成されていると共に、上部部材１には、ノックピン３ａが嵌合するアーチ形の孔１ａが形成されており、アーチ形の孔１ａは、外端が前方を向く、中心角度が９０度の円弧孔で、ステンレス可動台４に形成された長孔４ｂと重なり合っている。
【００２５】
前記操作レバー３のノックピン３ａは、上部部材１に形成されたアーチ形の孔１ａを貫通して、ステンレス可動台４に形成された長孔４ｂに嵌入され、アーチ形の孔１ａの中を自由に移動することができるようになっており、操作レバー３を回転することによって、ステンレス可動台４を前後方向に進退させることができるようになっている。
【００２６】
操作レバー３が下向きにアーチ形の孔１ａの内端位置まで回動されると、ノックピン３ａが長孔４ｂの内端位置まで移動し、ノックピン３ａが可動スプリング８と直交するので、ノックピン３ａがステンレス可動台４の前進運動を阻止する状態となり（操作レバー３のノックピン３ａがステンレス可動台４の前進運動を阻止することが第一のロックである）、調理器具用取手がロック固定される。
【００２７】
前記下部部材２の中部に十字溝２ａが設けられ、その十字溝２ａに、左右両側が傾斜面を有する楔状に突出した十字型のストッパー５が嵌めこまれている。このストッパー５と十字溝２ａの底面との間にはスプリング７が設けられており、このスプリング７によって、ストッパー５が上方側に付勢される。
【００２８】
前記ステンレス可動台４の後部には、ストッパー５に係止される第一作動孔４ｃと第二作動孔４ｄが前後方向に並設されている。また、前記下部部材２における十字溝２ａの後部には、左右一対の側面板２ｂと両側面板２ｂの後端縁に連設された後面板２ｃとによって、可動スプリング８の収容室が形成されており、可動スプリング８は、ステンレス可動台４の後端部と、収容室を構成している後面板２ｃとの間に挟み込まれている。
【００２９】
前記上部部材１及び下部部材２には、それぞれの中部両側に切欠部が形成されており、上部部材１と下部部材２とが相互に接合された状態で、その中部両側には、切欠部によって、操作ボタン６をそれぞれ取り付けるためのボタン取付穴が形成されるようになっている。
【００３０】
左右両側の操作ボタン６は、下部部材１における切欠部の縁部内面に係止された状態で、ボタン取付穴に取り付けられており、操作ボタン６の内面側には、ストッパー５における左右両側の傾斜面にそれぞれ摺接する突出部６ａが設けられている。
【００３１】
この調理器具用取手を調理器具から解除する時、操作ボタン６を押すことによってストッパー５はスプリング７の付勢力に抗して押し下げられ、ストッパー５による第一作動孔４ｃの係止が解除される（ストッパー５がステンレス可動台４の前進運動を阻止することが第二のロックである）。なお、第一作動孔４ｃは、第二作動孔４ｄより長いため、ストッパー５がその中を自由運動する隙間があり、操作レバー３を一定の角度まで回動させることにより、ステンレス可動台４が前進可能な状態となる。
【００３２】
下部部材２の前端部に前側連結穴が形成されていると共に、上部部材１には、下部部材２の前側連結穴に対応する位置に前側連結凸部が設けられており、前記ステンレス可動台４の先端部には上部部材１の前側連結凸部が貫通する、前後方向に延びる貫通穴が形成されている。そして、下部部材２の先端部の前側連結穴及びステンレス可動台４の貫通穴にねじ１２を通して上部部材1の前側連結凸部にねじ込むことにより、上部部材１と下部部材２とが、その先端部において連結固定されるようになっている。
【００３３】
同様に、下部部材２の後部に後側連結穴が形成されていると共に、上部部材１には、下部部材２の後側連結穴に対応する位置に後側連結凸部が設けられており、上部部材１の後部と下部部材２の後部とが、ねじ１１によって連結固定されるようになっている。
【００３４】
また、ステンレス可動台４の先端部４ａとの間に調理器具を挟み込む下部部材２の先端面には、調理器具の滑りを防止するために、縦方向に延びる多数の凹条２ｅが形成されており、調理器具をしっかりと把持することができるようになっていると共に、下部部材２の前端部の外側には、カバー９が取り付けられており、体裁が良くなっている。
【００３５】
また、上部部材１と下部部材２の後端部に相互に対応する丸い貫通穴１ｃ、２ｄがそれぞれ形成されており、上部部材１と下部部材２とが接合されると、後部に吊下穴が形成され、調理器具用取手の収納が便利になる。
【００３６】
図７（ａ）、（ｂ）に示すように、この調理器具用取手を調理器具に固定してロックした状態における各部材の内部構造は図３に示すとおりである。この調理器具用取手を調理器具に取り付ける際、操作レバー３を逆時計方向に最後まで回して、ステンレス可動台４を後進させると、ステンレス可動台４の先端部４ａと下部部材２の先端部とによって調理器具が把持される。
【００３７】
このとき、ノックピン３ａがステンレス可動台４の長孔４ｂの内端に位置しており、ノックピン３ａと可動スプリング８の軸芯とが一致しているので、ノックピン３ａがステンレス可動台４の前進運動を阻止すると共に、ストッパー５が第一作動孔４ｃに係合することで、ステンレス可動台４の前進運動が二重に規制されることになる。
【００３８】
図８（ａ）、（ｂ）に示すように、この調理器具用取手を調理器具から取り外す場合は、以下の二段階でロック解除の操作を実行することになる。まず、第一段階は、図５（ａ）〜（ｃ）に示すように、操作レバー３を矢印の方向に一定の角度まで回動させることによって、ノックピン３ａを可動スプリング８の軸芯上から位置ずれさせる。これによって、ステンレス可動台４の前進運動に対する制限が解除されるので、ステンレス可動台４が一定の距離だけ前進し、ストッパー５と第一作動孔４ｃとの間の隙間がなくなり、ストッパー５とステンレス可動台４が接触する。
【００３９】
続く第二段階では、図６（ａ）〜（ｃ）に示すように、左右一対の操作ボタン６を同時に押す。これにより、ストッパー５がスプリング７の付勢力に抗して押し下げられるので、第一作動孔４ｃに対するストッパー５の係止が解除され、ステンレス可動台４が可動スプリング８の付勢力により前方に移動すると共に、操作レバー３が９０度の位置まで回動し、これに伴って、ステンレス可動台４の第二作動孔４ｄがストッパー５の位置まで移動し、ロックが解除される。
【００４０】
この調理器具用取手は、調理器具の使用中に、調理器具から取り外すことができるので、加熱中に取手が熱くなることがなく、安全である。また、この調理器具用取手は、上述したように、二重ロックできる安全な構造を備えており、第一段階（第一ロック解除）、第二段階（第二ロック解除）といった２段階のロック解除操作を実行しない限り、取手が調理器具から外れることはなく、また、第一段階で第一ロック解除操作を実行した後、第二段階で、左右一対の操作ボタン６の片方だけを押しても、取手が調理器具から外れることはないので、安全性が高い。
【産業上の利用可能性】
【００４１】
本考案は、鍋やフライパン等の調理器具本体に着脱自在に取り付ける調理器具用取手として利用することができる。
【符号の説明】
【００４２】
１  上部部材
１ａ  アーチ形の孔
１ｂ  貫通穴
１ｃ  貫通穴
２  下部部材
２ａ  十字溝
２ｂ  側面板
２ｃ  後面板
２ｄ  貫通穴
２ｅ  凹条
３  操作レバー
３ａ  ノックピン
４  ステンレス可動台
４ａ  先端部
４ｂ  長孔
４ｃ  第一作動孔
４ｄ  第二作動孔
５  ストッパー
６  操作ボタン
６ａ  突出部
７  スプリング
８  可動スプリング
９  カバー
１０、１１、１２  ねじ
【図１】
0003169455.tif 000003
【図２】
0003169455.tif 000004
【図３】
0003169455.tif 000005
【図４】
0003169455.tif 000006
【図５】
0003169455.tif 000007
【図６】
0003169455.tif 000008
【図７】
0003169455.tif 000009
【図８】
0003169455.tif 000010